(57)【要約】      （修正有）【課題】ブラケット足場を取り付けず大きな鉛直力を作用させることができ下部工との連携がなくとも信頼性が高く足場も一面にて施工可能な脚頭部施工用足場支保工を提供する。【解決手段】脚頭部施工用足場支保工の吊主構は支柱２と上梁３と吊梁４を有する。吊主構は地組して一括で吊上げ橋脚本体８の上端面に配設するアンカーボルト１１に固定する。上梁３は橋軸直角方向に、吊梁４は橋軸方向に配設する。上梁３に上梁補強材１２を接続する。吊梁４から垂下する吊部材１３で吊下作業台１４を支持し、対向する吊下作業台１４，１４間に載置作業台１５を架設する。吊下作業台１４及び載置作業台１５上に脚頭部外周足場１６を形成する。【選択図】図９
0003179138.tif 000002
【実用新案登録請求の範囲】
【請求項１】
橋脚本体上の脚頭部を構築するために地盤より橋脚本体の上端まで形成する橋脚本体足場と、橋脚本体の上端周囲に形成する作業床と、この作業床を支持する作業床支持体と、前記作業床上に形成する脚頭部外周足場を備える脚頭部施工用足場支保工において、前記橋脚本体足場は、橋脚本体の一面に形成する昇降用足場であり、前記作業床支持体は、橋脚本体上端面の４箇所に設置する固定手段と、夫々の固定手段より立設する支柱と、支柱上端に架設して橋脚本体より跳ね出す２列の上梁と、この上梁の端部に架設して上梁より跳ね出す２列の吊梁と、この吊梁より垂下する複数の吊部材を有するものであり、前記作業床は、前記吊部材に支持され橋脚本体の対向する２面に並設する吊下作業台と、これらの吊下作業台間に架設して橋脚本体の他の対向する２面に並設する載置作業台であることを特徴とする脚頭部施工用足場支保工。
【請求項２】
前記作業床支持体は、少なくとも前記支柱と前記２列の上梁及び前記２列の吊梁を地盤上で組み立て、一括して前記固定手段に架設固定する外周足場フレームであることを特徴とする請求項１記載の脚頭部施工用足場支保工。
【請求項３】
前記上梁は、柱材と斜材及び水平材を有する上梁補強材を連結することを特徴とする請求項１、請求項２記載の脚頭部施工用足場支保工。
【考案の詳細な説明】
【技術分野】
【０００１】
この考案は、橋脚本体上の脚頭部を構築するための鉄筋及び型枠組立作業用、更にはコンクリート打設作業用に用いる脚頭部施工用足場支保工に関する。
【背景技術】
【０００２】
橋梁の建設工事は、一般に、下部工である橋脚の施工と、上部工である橋体の施工が別々に区分されている場合が多い。この場合橋脚の最上部である脚頭部の施工は上部工の施工区分となる。
【０００３】
従って、下部工が竣工すると、下部工施工時に形成した足場は一旦撤去され、橋脚本体のみが引き渡される。そこで改めて足場組立から着手して昇降用の足場を確保しなければならない。次に出来形を確認するための作業床を確保し、脚頭部施工のための着手前測量を行い、次いで脚頭部構築用の鉄筋組立、型枠組立作業を行い、コンクリート打設作業を行っている。
【０００４】
この作業床の構築で橋脚の高さＨがＨ≦１０ｍと比較的低い場合には、橋脚本体の全周・四面に枠組足場支保工を組み立てて、その頂部に作業床を形成しているが、Ｈ＞１０ｍと高橋脚になる場合には、昇降用の足場を利用して橋脚本体の上部壁面にブラケットを取り付け、このブラケット上に作業床を形成していた。
【０００５】
脚頭部構築用にブラケット足場を用いる従来技術としては、例えば特許文献１に記載されるような脚頭部施工用足場支保工があった。
【特許文献１】特開２００８−３８４６３号公報
【０００６】
このようなブラケット足場を取り付けるためには、図１１に示すように脚頭部７のない橋脚本体８の廻りに少なくとも２面の足場１０９が必要であった。この足場１０９は図示しない地盤より立ち上げる枠組足場支保工であって、昇降足場も兼用していた。この枠組足場支保工の頂部はブラケット１１０を取り付けるための作業床を形成していた。
【０００７】
例えば脚頭部７の橋軸方向にブラケット１１０を取り付けた場合、先ず橋軸直角方向に図示しない横梁をブラケット１１０に固定し、次にこの横梁端部に橋軸方向の縦梁を固定していた。更に橋脚外周部に設置したこれらの梁材上に鉄筋及び型枠組立、コンクリート打設用の作業やぐら１１１を組み立てていた。
【０００８】
ブラケット１１０は脚頭部７を構築するために用いる作業やぐら１１１を支持するもので、これらの足場材やブラケット１１０を吊り込むためタワークレーン１１２が橋脚本体８の側部に併設されていた。
【０００９】
ブラケット１１０を橋脚本体８に強固に固定するためには、下部工施工時に、橋脚本体８にＰＣ鋼材挿通用の貫通孔１１３を形成し、その下部にはアンカーボルト１１４を埋設することが望ましかった。
【００１０】
ブラケット１１０の上部をＰＣ鋼材１１５で緊張し、下部をアンカーボルト１１４にて固定する構造は、上部は摩擦接合、下部はアンカー材によるせん断抵抗にて固定するもので、貫通する１本もののＰＣ鋼材１１５の場合には信頼性が高く、大きな鉛直力を支持することが可能であった。
【００１１】
ところで上部工の施工と下部工の施工において連携できる状態にある時には、下部工施工時に上述の貫通孔１１３の形成及びアンカーボルト１１４の埋設が可能であるが、連係できない状態の場合には、上部工の後施工で対処せねばならず、この場合には例えばダイアモンドカッタによるコア抜き作業を行ったり、貫通孔ができない場合にはＰＣ鋼材を樹脂で固定せねばならなかった。
【考案の開示】
【考案が解決しようとする課題】
【００１２】
しかし、後施工による樹脂固定は、信頼性の問題があり、引抜実験等の確認作業が必要となる上、大きな鉛直力を作用させることはできなかった。
【００１３】
又、下部工との連携が可能で貫通孔の形成及びアンカーボルトの埋設が可能であっても、上部工施工前の事前作業がかなり多くなる問題点があった。
【００１４】
又、ブラケットは少なくとも橋脚本体の２面に必要であるため、この取付用足場も２面形成しなければならず、しかも解体時まで２面が必要であった。この足場の組立・解体作業には多大な労力と工期を要し、長期間の足場設置で工費も上昇する欠点があった。
【００１５】
また、高橋脚の場合、地盤より５０ｍ以上の高所作業となることもあり、足場組立解体作業に加え、重量物であるブラケットの取り付けや、作業床の形成は安全面からも慎重を要する困難な作業であった。
【００１６】
この考案は、従来の脚頭部施工用足場支保工が有する上記の問題点を解消すべくなされたものであり、ブラケット足場を取り付けることなく、大きな鉛直力を作用させることが可能で、下部工との連携がなくとも信頼性が高く、足場も一面にて施工可能な脚頭部施工用足場支保工を提供することを目的としている。
【００１７】
又、この考案は、高所作業をできるだけ軽減するため、地組み作業が多い脚頭部施工用足場支保工を提供することを目的としている。
【課題を解決するための手段】
【００１８】
上記課題を解決するため、この考案の脚頭部施工用足場支保工は、橋脚本体上の脚頭部を構築するために地盤より橋脚本体の上端まで形成する橋脚本体足場と、橋脚本体の上端周囲に形成する作業床と、この作業床を支持する作業床支持体と、前記作業床上に形成する脚頭部外周足場を備える脚頭部施工用足場支保工において、前記橋脚本体足場は、橋脚本体の一面に形成する昇降用足場であり、前記作業床支持体は、橋脚本体上端面の４箇所に設置する固定手段と、夫々の固定手段より立設する支柱と、支柱上端に架設して橋脚本体より跳ね出す２列の上梁と、この上梁の端部に架設して上梁より跳ね出す２列の吊梁と、この吊梁より垂下する複数の吊部材を有するものであり、前記作業床は、前記吊部材に支持され橋脚本体の対向する２面に並設する吊下作業台と、これらの吊下作業台間に架設して橋脚本体の他の対向する２面に並設する載置作業台であることを特徴とするものである。
【００１９】
固定手段としては、例えば橋脚本体の上端面に埋設するアンカーボルトが望ましいが、樹脂固定等のアンカーボルトでもよい。支柱は平面矩形の頂点に立設して、連結する上梁及び吊梁とで枠体を形成する。隣接する支柱間にはブレースを張設する。
【００２０】
支柱は上部工で構築する脚頭部躯体内に埋設する部材で、据付時には支柱下端面にライナー材を適宜差込み高さ調整した後、無収縮モルタル等を打設して枠体の水平性を確保する。
【００２１】
上梁を例えば橋軸直角方向に配設すると吊梁は上梁先端部の橋軸方向に配設される。上梁及び吊梁の長さは夫々橋脚の橋軸直角方向長さ又は橋軸方向長さより十分長く、吊梁の全体が橋脚の外方に位置する。吊梁の各先端部近傍から少なくとも２本の吊部材を垂下する。
【００２２】
吊下作業台は、少なくとも４本の吊部材で支持され、吊梁を橋軸方向に配設する場合には橋脚の橋軸直角方向に配設される。載置作業台は吊下作業台間に架設する部材で、これら吊下作業台及び載置作業台は脚頭部を構築するための脚頭部外周足場を支持し得る構造とする。
【００２３】
請求項２記載の脚頭部施工用足場支保工の作業床支持体は、少なくとも前記支柱と前記２列の上梁及び前記２列の吊梁を地盤上で組み立て、一括して前記固定手段に架設固定する外周足場フレームであることを特徴とするものである
【００２４】
外周足場フレームは地組みする吊主構で、この吊主構に吊上げ用の部材を取り付けて一括で脚頭部に吊り込む。
【００２５】
請求項３記載の脚頭部施工用足場支保工の上梁は、柱材と斜材及び水平材を有する上梁補強材を連結することを特徴とするものである。上梁補強材は上梁と連結してトラス構造となる。
【考案の効果】
【００２６】
この考案の脚頭部施工用足場支保工は、地盤より橋脚本体の上端まで形成する橋脚本体足場を昇降用足場一面とすることができるので、足場の組立・解体作業が軽減し、工費低減も期待できる。
【００２７】
又この考案の脚頭部施工用足場支保工は、ブラケット足場支保工を採用せず、作業床支持体を構成する支柱、上梁、吊梁及び吊部材は作用する荷重に対応して部材構成を決定するので、下部工との連携がなくとも高い信頼性をもって大きな鉛直力を作用させることが可能となり、又ブラケットの取付・取外し作業もなくなるので、高所作業の低減につながる。
【００２８】
請求項２記載の脚頭部施工用足場支保工は、地組みする外周足場フレームを用いるので、高所作業がより軽減する。
【００２９】
請求項３記載の脚頭部施工用足場支保工の上梁は、上梁補強材を連結するので、より大きな吊上げ荷重に対応可能となる。
【図面の簡単な説明】
【００３０】
【図１】脚頭部施工用足場支保工の吊主構の正面図である。
【図２】脚頭部施工用足場支保工の吊主構の側面図である。
【図３】脚頭部に吊り込む吊主構の正面図である。
【図４】脚頭部に吊り込む吊主構の左側面図である。
【図５】上梁に補強材を取り付けた吊主構の正面図である。
【図６】上梁に補強材を取り付けた吊主構の左側面図である。
【図７】吊主構が吊下作業台を支持する正面図である。
【図８】吊主構が吊下作業台を支持する左側面図である。
【図９】吊下作業台上に組み立てる脚頭部外周足場の一部を省略した正面図である。
【図１０】図９のＡ方向矢視図である。
【図１１】脚頭部構築用にブラケット足場を用いる従来の脚頭部施工用足場支保工の正面図である。
【考案を実施するための最良の形態】
【００３１】
次にこの考案の実施の形態を添付図面に基づき詳細に説明する。図１は脚頭部施工用足場支保工の吊主構の正面図、図２は同吊主構の側面図である。脚頭部施工用足場支保工の吊主構１は、４本の支柱２と、２列の上梁３と、２列の吊梁４を有する。
【００３２】
支柱２は図示しない橋脚本体の上端平面内部に位置する矩形頂点に立設し得る配置で、隣接する支柱２，２間にはブレース５を張設する。上梁３は支柱２上端に架設して両端部を均等に跳ね出す。吊梁４は上梁３の端部に連結材６を介して架設し同様に両端部を上梁３より均等に跳ね出す。
【００３３】
吊主構１は支柱２に連結する上梁３及び吊梁４とで平面梯子形状、立面略鳥居形状の枠体を形成する。この枠体は、橋脚近傍の地盤上で組み立て、一括してクレーンを用いて脚頭部に吊り込む。この吊主構の吊り込み作業を図３及び図４に基づき説明する。図３は脚頭部に吊り込む吊主構の正面図、図４は同吊主構の左側面図である。
【００３４】
脚頭部７を構築するため、図示しない地盤面より橋脚本体８の上端まで橋脚本体足場９を形成する。この橋脚本体足場９は、一面に形成する昇降用足場である。
【００３５】
吊主構１には吊上げ用の枕梁１０を取り付けて一括で吊上げ、橋脚本体８の上端面の所定位置に配設するアンカーボルト１１に支柱２の下端を固定する。この時、吊主構１の上梁３は橋軸直角方向に、吊梁４は橋軸方向に配設する。上梁３及び吊梁４の長さは夫々橋脚本体８及び脚頭部７の橋軸直角方向長さ又は橋軸方向長さより十分長く、吊梁４の全体が橋脚の外方に位置する。
【００３６】
吊主構１を橋脚本体８の上端面に固定した後、上梁補強材を取り付ける。この状態を図５及び図６に示す。図５は上梁に補強材を取り付けた吊主構の正面図、図６は同左側面図である。
【００３７】
上梁補強材１２は、柱材１２ａと水平材１２ｂ及び斜材１２ｃを有し、斜材１２ｃの一端部は夫々上梁３上の連結材６に接続する。各柱材１２ａの頂部は横繋ぎ材１２ｄで連結する。
【００３８】
次に吊主構１を用いて橋脚本体の上端周囲に作業床を形成する手順を図７乃至図１０に基づき説明する。図７は吊主構が吊下作業台を支持する正面図、図８は同左側面図、図９は吊下作業台上に組み立てる脚頭部外周足場の一部を省略した正面図、図１０は図９のＡ方向矢視図である。
【００３９】
吊梁４の各先端部近傍から夫々２本の吊部材１３を垂下する。各吊部材１３は吊下作業台１４を支持する鋼棒である。吊下作業台１４は、梁上に作業面を形成する構造体で図示しない地盤上で組み立てた後、クレーンにより所定位置まで吊上げ、垂下する吊部材１３と連結する。吊下作業台１４は橋脚本体８の橋軸直角方向の対向する２面に配設する。
【００４０】
次に図９に示すように吊下作業台１４，１４間に載置作業台１５を架設する。載置作業台１５も梁上に作業面を形成する構造体で、図示しない地盤上で組み立てた後、クレーンにより吊上げ載置する。なお、載置作業台１５は図７に示す橋脚本体足場９と干渉する部分があるので、この部分の足場は予め解体撤去しておく。
【００４１】
吊下作業台１４及び載置作業台１５上に脚頭部外周足場１６を形成する。脚頭部外周足場１６は脚頭部７の形状に合わせる。
【００４２】
なお、図３、図５、図７および図９において脚頭部コンクリートの断面形状が拡幅を有する逆台形となっているが、拡幅のない長方形断面においても本支保工が使用できるのは勿論である。
【符号の説明】
【００４３】
１  吊主構
２  支柱
３  上梁
４  吊梁
７  脚頭部
８  橋脚本体
９  橋脚本体足場
１１  アンカーボルト
１２  上梁補強材
１３  吊部材
１４  吊下作業台
１５  載置作業台
１６  脚頭部外周足場
【図１】
0003179138.tif 000003
【図２】
0003179138.tif 000004
【図３】
0003179138.tif 000005
【図４】
0003179138.tif 000006
【図５】
0003179138.tif 000007
【図６】
0003179138.tif 000008
【図７】
0003179138.tif 000009
【図８】
0003179138.tif 000010
【図９】
0003179138.tif 000011
【図１０】
0003179138.tif 000012
【図１１】
0003179138.tif 000013